(57)【特許請求の範囲】
【請求項１】
ケース体に、機裏側に装備された機構セット盤に設けられて貯留球を通出案内する球送出路部に連通する球通路が縦設されると共に、外周に形成した複数の球受部を、前記球通路を画成する幅方向一方の壁に形成した通口から該球通路に臨ませて１球ずつの球送り回転によりパチンコ球を排出し得る球送り体と、球払出し信号に基づいて作動制御される電磁ソレノイドの励磁・消磁条件に従って切換え作動されて前記球送り体を回転停止と回転可能な解放との状態に規制する規制部材と、前記球受部により停止される排出前のパチンコ球を検出する上検出手段と、球送り体の回転により払出されるパチンコ球を検出する下検出手段とを備える球払出装置において、
前記ケース体の内面に、金属板を折曲形成したフレーム枠に磁力発生部を装着して構成された前記電磁ソレノイドのフレーム枠を位置決め保持する複数の位置決め手段が設けられ、
前記各位置決め手段は、前記ケース体の内面から所定高さで突出すると共に、前記フレーム枠における折曲部から離間する側端縁部に当接するよう設定され、前記折曲部がケース体の内面に接触しないよう構成され、
前記上下の検出手段は光学式センサであって、前記球通路における幅方向と交差する方向で該球通路を挟んで光軸が一致するように対向する発光ダイオードおよび受光ダイオードを備え、
前記通口が形成される幅方向一方の壁における球通路に臨む内壁面は所定角度で交差する複数の面から形成され、該球通路を通過するパチンコ球は、前記通口が形成される部位において前記内壁面で案内されて前記検出手段の光軸と交差する幅方向一方に向けて変位しないよう構成される
ことを特徴とする球払出装置。
【請求項２】
前記上検出手段および下検出手段は、前記球通路を通過するパチンコ球の中心位置に対して前記通口が形成される幅方向一方の壁とは反対側に偏位した位置に配置されている請求項１記載の球払出装置。
【発明の詳細な説明】
【０００１】
【発明の属する技術分野】
この発明は、球払出装置に関し、更に詳細には、パチンコ機やアレンジボール機等のパチンコ球を取扱う各種の遊技機において、パチンコゲーム中に発生されるセーフ球や入賞成立に対する所定数のパチンコ球(賞球ともいう)の払出しや、遊技者による適正な球貸し操作に対する所定数のパチンコ球(貸球ともいう)の払出しを行なう球払出装置に関するものである。
【０００２】
【従来の技術】
パチンコ機やアレンジボール機に代表されるこの種のパチンコ遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球容器や整流路および球送出路等から構成される球貯留排出経路部内に貯留されたパチンコ球(貯留球)を、前記球送出路における球送出口の下方に配設した賞球払出装置の作動制御のもとに、所定数の賞球として機前側の上球皿または下球皿側へ給出するようになっている。一方、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して、前記球送出路における球送出口の下方に配設した貸球払出装置の作動制御のもとに、所定数の貯留球を貸球として前記上球皿側へ給出するようになっている。
【０００３】
前記賞球払出しに供される賞球払出装置と、貸球払出しに供される貸球払出装置とは基本的に同一の構成であって、これら球払出装置は、上下に縦通される球通路を有するケース体の内部に、外周に多数個の球受部を等ピッチで形成配置した爪車状の球送り体が、その球受部を球通路に臨ませた状態で回転可能に配設される。また、ケース体に収容されて球払出し信号(賞球払出し信号や貸球払出し信号)に基づいて通電作動される電磁ソレノイドに、規制部材が傾動可能に支持されて、該規制部材が球送り体の球受部に係合・離脱して、該球送り体を拘束・解放するよう構成されている。すなわち、電磁ソレノイドの通電作動前(消磁状態)では球送り体が規制部材により停止拘束され、球払出し信号による電磁ソレノイドの通電作動時(励磁状態)に規制部材による拘束から解放されて球送り体が回転可能となる。これにより、球送り体が通路内の賞球または貸球を各球受部に受けながら所定角度に亘り回転されて、予め設定された個数の賞球または貸球を払出すようになっている。
【０００４】
前述した構成の球払出装置の球通路には、前記球受部により停止される排出前の賞球または貸球を検出する上検出手段と、前記球送り体の回転により払出される賞球または貸球を検出する下検出手段とが配設され、両検出手段による球検出に基づいて前記電磁ソレノイドが制御されるよう構成される。
【０００５】
【発明が解決しようとする課題】
前記球払出装置では、前記球通路の外側に球送り体が回動可能に枢支され、球通路の一側に形成した通口から前記球受部を該球通路内に臨ませるよう構成されている。この場合に、通口は平坦な一面に形成されているため、該面に沿って案内される賞球または貸球が、通口から外側に沈み込んでしまうことがある。すなわち、前記上下の検出手段による検出位置から賞球または貸球が偏位し、該賞球または貸球の検出ができなくなることがあり、誤作動を招く問題があった。
【０００６】
【発明の目的】
本発明は、前述した従来の技術に内在している前記課題に鑑み、これを好適に解決するべく提案されたものであって、パチンコ球の検出を確実に行ない、誤作動の発生を防止し得る球払出装置を提供することを目的とする。
【０００７】
【課題を解決するための手段】
前述した課題を克服し、所期の目的を好適に達成するため、本発明に係る球払出装置は、
ケース体(27)に、機裏側に装備された機構セット盤(G)に設けられて貯留球を通出案内する球送出路部(25)に連通する球通路(42)が縦設されると共に、外周に形成した複数の球受部(67b)を、前記球通路(42)を画成する幅方向一方の壁に形成した通口(64)から該球通路(42)に臨ませて１球ずつの球送り回転によりパチンコ球(T)を排出し得る球送り体(67)と、球払出し信号に基づいて作動制御される電磁ソレノイド(28)の励磁・消磁条件に従って切換え作動されて前記球送り体(67)を回転停止と回転可能な解放との状態に規制する規制部材(68)と、前記球受部(67b)により停止される排出前のパチンコ球(T)を検出する上検出手段(56)と、球送り体(67)の回転により払出されるパチンコ球(T)を検出する下検出手段(57)とを備える球払出装置において、
前記ケース体(27)の内面に、金属板を折曲形成したフレーム枠(69)に磁力発生部(70)を装着して構成された前記電磁ソレノイド(28)のフレーム枠(69)を位置決め保持する複数の位置決め手段(72,73,74,75,76,78,79,80)が設けられ、
前記各位置決め手段(72,73,74,75,76,78,79,80)は、前記ケース体(27)の内面から所定高さで突出すると共に、前記フレーム枠(69)における折曲部から離間する側端縁部に当接するよう設定され、前記折曲部がケース体(27)の内面に接触しないよう構成され、
前記上下の検出手段(56,57)は光学式センサであって、前記球通路(42)における幅方向と交差する方向で該球通路(42)を挟んで光軸が一致するように対向する発光ダイオード(56a,57a)および受光ダイオード(56b,57b)を備え、
前記通口(64)が形成される幅方向一方の壁における球通路(42)に臨む内壁面は所定角度で交差する複数の面(63a,63b)から形成され、該球通路(42)を通過するパチンコ球(T)は、前記通口(64)が形成される部位において前記内壁面(63a,63b)で案内されて前記検出手段(56,57)の光軸と交差する幅方向一方に向けて変位しないよう構成されることを特徴とする。
【０００８】
【作用】
球送り体の球受部は、球通路の幅方向一方の壁に形成された通口を介して該球通路に臨んでいる。球通路に臨む球受部により停止される排出前のパチンコ球は、上検出手段により検出され、また球送り体の回転により払出されるパチンコ球は、下検出手段により検出される。前記通口が形成される球通路の幅方向一方の壁の内壁面は所定角度で交差する複数の面から形成されており、該幅方向一方の壁に沿って球通路を通過するパチンコ球は、通口から外側に沈み込むことはなく、両検出手段による確実な検出が行なわれる。
【０００９】
【発明の実施の形態】
次に、本発明に係る球払出装置につき、好適な実施例を挙げて、添付図面を参照しながら以下詳細に説明する。なお実施例では、球払出装置として、賞球払出しに供される賞球払出装置を挙げて説明するが、貸球払出しに供される貸球払出装置であってもよい。
【００１０】
先ず、本実施例に係る賞球払出装置(球払出装置)が実施されるパチンコ機について、図１６を参照して要約説明すると、該パチンコ機Ｐは、外枠Ａに組付けられた前枠Ｂの裏側に、夫々の球処理部を有する機構セット盤Ｇが着脱可能にセットされている。この機構セット盤Ｇは、前枠Ｂ裏側に位置する遊技盤セット用の保持枠１８の裏側に着脱可能に装備され、該保持枠１８に対応し得る方形サイズに樹脂成形された本体１９の中央部に遊技盤裏面の点検用の窓口２０が開口され、これに裏カバー部材２１が開閉および着脱可能に取着されており、この窓口２０の上部から右側部に亘る外周囲部に球貯留排出経路部２２等が配設されている。そして、この球貯留排出経路部２２の下側に、カセット形態とされる電動制御式の賞球払出装置Ｌが設置される一方、該賞球払出装置Ｌの下方に該装置Ｌから払出された賞球(パチンコ球)Ｔを図示しない上球皿または下球皿へ排出する球排出経路(図示せず)が形成されており、前記球貯留排出経路部２２に貯留された所定数のパチンコ球(貯留球)が、賞球払出装置Ｌの作動により賞球Ｔとして払出されるようになっている。
【００１１】
前記球貯留排出経路部２２は、機構セット盤Ｇの上部に上方開口状態で設置される球容器(「球タンク」とも云う)２３と、この球容器２３底面の下流端に開口された球出口に合わせた下部に取着される斜状レール形の整流路部２４と、左右蛇行状に形成されて前記整流路部２４の下流端に連絡するように取着される球送出路部２５とから構成され、相当量(例えば５００個程度)のパチンコ球を貯留球として一時的に貯留し得るようになっている。
【００１２】
本実施例のパチンコ機Ｐでは、前記球送出路部２５の球送出口に整合して賞球Ｔの払出しに供される賞球払出装置Ｌを具備し、該賞球払出装置Ｌは、払出制御装置２６からの出力信号(賞球払出し信号や貸球払出し信号等の球払出し信号)により制御作動される。この賞球払出装置Ｌは、その基本的な構成として図２に示す如く、矩形箱体状に形成された合成樹脂製のケース体２７内に、球払出し機構を構成する電磁ソレノイド２８や賞球制御基板２９等を収容して構成され(図３参照)、ケース体２７単位のユニット体として取扱い得るようになっている。なお、賞球払出装置Ｌに関する以後の説明において、前後、左右および上下とは、該装置Ｌを前枠Ｂ裏側に配設した図１６に示す状態を裏面側から視た関係で指称するものとする。
【００１３】
前記ケース体２７は、図３〜図６に示す如く、略矩形状を呈する後面壁３０ａおよび該後面壁３０ａの４つの縁部から前側に延出する上面壁３０ｂ、下面壁３０ｃ、左面壁３０ｄ、右面壁３０ｅから前方に開口する箱状に形成されたベース部材３０と、略矩形状を呈する前面壁３１ａおよび該前面壁３１ａの４つの縁部から後側に延出する上面壁３１ｂ、下面壁３１ｃ、左面壁３１ｄ、右面壁３１ｅから後方に開口する箱状に形成されたカバー部材３１とから構成され、両部材３０,３１が１本のビス３２により着脱可能に組付けられて矩形箱体状を呈するようになっている(図２参照)。すなわち、ベース部材３０の上面壁３０ｂ、下面壁３０ｃ、左面壁３０ｄおよび右面壁３０ｅの開放端(前端)に嵌合凸部３３が形成されると共に、カバー部材３１の上面壁３１ｂ、下面壁３１ｃ、左面壁３１ｄおよび右面壁３１ｅの開放端(後端)に嵌合凹部３４が形成され、両部材３０,３１は嵌合凸部３３に嵌合凹部３４を嵌合する印籠構造により位置決めされる。また、ベース部材３０の後面壁３０ａにおける下方位置に、位置決め支柱３５が前側に向けて突設され、該支柱３５の先端に突設したピン３５ａを、カバー部材３１における前面壁３１ａの対応位置に設けたボス３６の孔３６ａに挿通することでも位置決めされるようになっている。更に、ベース部材３０の後面壁３０ａにおける略中央部に固定用支柱３７が前側に向けて突設されると共に、該支柱３７の先端にはビス孔３８ａが形成された小径のボス３８が突設されている。これに対してカバー部材３１の前面壁３１ａには、ビス孔３８ａと対応する位置に通孔３９が穿設されており、該通孔３９に外側(前側)から挿通したビス３２をビス孔３８ａに螺挿することで、ベース部材３０とカバー部材３１とが位置決め固定される。
【００１４】
前記ベース部材３０の後面壁３０ａには、その左面壁３０ｄから内方に離間する位置に内部側壁４０が左面壁３０ｄと平行に形成され、該内部側壁４０を指向する一側面(左側面)が開口する横断面コ字形をなす合成樹脂製の通路画成部材としての樋部材４１がケース体２７内に着脱可能に収容設置されており、該樋部材４１と内部側壁４０とにより上下に縦通して賞球Ｔの通過を許容する球通路４２が画成される。なお、ベース部材３０の上面壁３０ｂおよび下面壁３０ｃには、前側に開放する矩形状の切欠部４３ａ,４３ｂが形成されており、樋部材４１の球通路４２と対応する上下両端に形成された突部４４ａ,４４ｂを対応する切欠部４３ａ,４３ｂに嵌挿することで、ベース部材３０に対して樋部材４１が適正位置に位置決め設置されるようになっている。また、樋部材４１の前壁４１ａには、位置決め片４５が球通路４２から離間する右方に所定長さで延出し、該位置決め片４５に形成された通孔４５ａに、前記固定用支柱３７のボス３８が嵌挿されて位置決めがなされるよう構成される。なお、前記ベース部材３０の後面壁３０ａに樋用フック４６が設けられており、樋部材４１をベース部材３０に対して前面側から収容した際に、該樋部材４１に形成した係合部４７に樋用フック４６が係脱可能に係合することで、樋部材４１はベース部材３０に位置決め固定されるようになっている。
【００１５】
前記樋部材４１の前壁４１ａにおける下方位置に、図７,図８および図１０に示す如く、上下一対の第１前当接部４８,４８が突設されると共に、上方位置には第２前当接部４９が第１前当接部４８,４８と同一高さで突設されている。また、一対の第１前当接部４８,４８の間および第２前当接部４９には、その前端から所定高さで前位置決めピン５０が夫々突設されると共に、前記位置決め片４５には通孔４５ａの外周囲にボス部４５ｂが突設されている。そして、これら当接部４８,４８,４９および前記位置決め片４５に、前記電磁ソレノイド２８等を制御する各種の電子部品を実装した賞球制御基板２９の後面が当接すると共に、各前位置決めピン５０,５０およびボス部４５ｂが、該賞球制御基板２９に対応的に設けた前位置決め孔２９ａに嵌挿されることで、樋部材４１に対する賞球制御基板２９の位置決めがなされるようになっている。また樋部材４１の前壁４１ａには、上下に離間して一対の前フック５１,５１が突設され、両フック５１,５１を賞球制御基板２９の上下端縁部に係脱可能に係合することで、樋部材４１に対して賞球制御基板２９を位置決め状態で係合保持するよう構成してある。
【００１６】
前記樋部材４１の後壁４１ｂには、図９および図１０に示す如く、前記前壁４１ａの第１前当接部４８,４８と対応する位置に後当接部５２,５２が突設されると共に、その間には前端から所定長さで後位置決めピン５３が突設してある。そして、一対の後当接部５２,５２に、後述する上下のセンサ５６,５７が配設される賞球センサ基板５４の前面が当接すると共に、後位置決めピン５３が、該賞球センサ基板５４に対応的に設けた後位置決め孔５４ａに嵌挿されることで、樋部材４１に対する賞球センサ基板５４の位置決めがなされるようになっている。また樋部材４１の後壁４１ｂには、上下に離間して一対の後フック５５,５５が突設され、両フック５５,５５を賞球センサ基板５４の上下端縁部に係脱可能に係合することで、樋部材４１に対して賞球センサ基板５４を位置決め状態で係合保持するよう構成してある。
【００１７】
前記賞球制御基板２９および賞球センサ基板５４には、前記球通路４２内を通過する賞球Ｔを検出可能な上検出手段としての上センサ５６および下検出手段としての下センサ５７が配設されている。両センサ５６,５７は、ともに光学センサタイプが使用される例において、賞球制御基板２９に配置された発光ダイオード５６ａ,５７ａと、賞球センサ基板５４に配置された受光ダイオード５６ｂ,５７ｂとが組とされている。そして、発光ダイオード５６ａ,５７ａは、前記第１前当接部４８,４８に穿設されて球通路４２に連通する通孔４８ａ,４８ａに前側から挿通されると共に、受光ダイオード５６ｂ,５７ｂは、前記後当接部５２,５２に穿設されて球通路４２に連通する通孔５２ａ,５２ａに後側から挿通されて、各発光ダイオード５６ａ,５７ａと対応する受光ダイオード５６ｂ,５７ｂの光軸が球通路４２を挟んで一致するよう設定され、該球通路４２を通過する賞球Ｔを検出し得るよう構成される。なお、上センサ５６および下センサ５７は、互いに１球分の検出間隔で配置されており、上センサ５６は、後述する球送り体６７の球受部６７ｂにより停止されて前記球通路４２内に貯留されている排出前の賞球Ｔの存在を検出し、下センサ５７は、球送り体６７の回転により払出される賞球Ｔを検出するよう構成される(図１４参照)。
【００１８】
図１０に示す如く、前記樋部材４１における後壁４１ｂの外縁部には、位置決め固定された賞球センサ基板５４の後面より後方に延出する立上がり部５８が設けられ、当該樋部材４１を前記ベース部材３０に位置決め設置した際に、該立上がり部５８の後端がベース部材３０の後面壁３０ａに当接することで、賞球センサ基板５４を保護するよう構成される。また後壁４１ｂの右端縁に位置する立上がり部５８の上部に、賞球センサ基板５４と賞球制御基板２９とを接続するリード線５９を収容するための収容部５８ａが後側に開放するよう切欠き形成されると共に、該収容部５８ａの開放端側(後側)には規制片６０が形成されており(図１１参照)、収容部５８ａに収容したリード線５９が収容部５８ａから容易に離脱しないよう構成してある。なお、リード線５９の収容部５８ａへの収容は、規制片６０が弾性変形することにより許容される。ちなみに、賞球センサ基板５４は、賞球制御基板２９の一部を切取ることで構成されるものであって、基板製作時の材料費等を低減し得るようになっている。
【００１９】
また前記賞球制御基板２９の下端には、前記払出制御装置２６に接続するためのコネクタ端子６１が設けられ、該端子６１は、前記ケース体２７の下面(カバー部材３１の下面壁３０ｃ)に形成された挿通口６２に臨むよう設定される。
【００２０】
前記球通路４２を画成する内部右壁面(一側)は、図１２に示す如く、前記内部側壁４０と平行な第１案内面６３ａと、該第１案内面６３ａの前後両側に位置して前後両内壁面(一側と直交する他側)に向けて所定角度で傾斜する第２案内面６３ｂ,６３ｂとから形成されており、球通路４２は平面視において６角形状を呈するようになっている。また内部右壁面には、前記センサ用の前記通孔４８ａ,５２ａと対応する位置に、後述する球送り体６７の球受部６７ｂを球通路４２内へ臨ませるための通口６４が、３つの案内面６３ａ,６３ｂ,６３ｂに亘って形成されている。なお、第１案内面６３ａおよび第２案内面６３ｂ,６３ｂは、球通路４２を通過する賞球Ｔが通口６４から外側(センサ用の通孔４８ａ,５２ａから離間する方向)に沈み込むことがないように案内するよう、その寸法や傾斜角度等が設定されている。また、球通路４２を画成する前後両内壁面の離間寸法(内部右壁面自体の前後幅寸法)は、賞球Ｔの直径より僅かに大きく設定されるが、前後何れかの内壁面と内部右壁面とに接触案内される賞球Ｔが通口６４から外方に沈み込まない値に設定される。
【００２１】
ここで、前記球通路４２に賞球Ｔが連続して臨んでいる状態では、その左右幅方向の略中央においては上下の賞球Ｔ,Ｔ同士が相互に接触しているため、前記センサ用の通孔４８ａ,５２ａを球通路４２の左右幅方向の略中央(球通路４２を通過する賞球Ｔの中心位置)に設けると、前記センサ５６,５７による賞球Ｔの通過を検出できなくなるおそれがある(発光ダイオードの検出光を遮った状態が続くため)。そこで、前記センサ用の通孔４８ａ,５２ａは、図１３に示す如く、球通路４２の幅方向中央に対して前記通口６４とは反対側の左方に偏位して設けられ、球通路４２内に連続して臨む上下の賞球Ｔ,Ｔの切目をセンサ５６,５７により確実に検出し得るよう設定されている。この場合において、球通路４２を通過する賞球Ｔが通口６４の形成部位で外側(センサ用の通孔４８ａ,５２ａから離間する方向)に沈み込んでしまうと、該賞球Ｔが前記センサ５６,５７の検出光を遮らない位置を通過するおそれがあり、賞球Ｔの正確な通過検出をし得なくなる場合がある。そこで、実施例の賞球払出装置Ｌでは、前述した如く球通路４２を画成する内部右壁面(通口６４が形成される面)を多角形状に形成し、賞球Ｔが通口６４から外側に沈み込むのを防止するようにしたものである。
【００２２】
図１に示す如く、前記ベース部材３０における後面壁３０ａに設けられた大径の取付ボス６５に立設されて前記通口６４に隣接した位置(球通路４２の外側)に臨む支軸６６に対して、爪車状の球送り体６７が回動可能に支持されている。この球送り体６７は、ポリアセタール等の比較的硬質の合成樹脂からなり、外周に形成した複数(実施例では６箇所)の区画爪部６７ａにより区画された各球受部６７ｂを前記樋部材４１の通口６４から球通路４２内へ臨ませ、この球受部６７ｂにより球通路４２内を流下する賞球Ｔを１個ずつ球圧を受けながら回転して排出し得るようになっている。
【００２３】
前記ケース体２７には、球送り体６７の回転・停止規制をなす規制部材６８の切換作動源である電磁ソレノイド２８が、該球送り体６７を挟んで樋部材４１とは反対側に収容配置されている。この電磁ソレノイド２８は、図１および図３に示す如く、例えばフラッパータイプのものであって、厚肉の金属板をコ字状に折曲形成したフレーム枠６９が、その開放側を球送り体６７に指向する姿勢で配置されると共に、その垂直部(取着部)６９ａにコイルを巻回した磁力発生部(ボビンともいう)７０を装着して構成され、通電時に発生された励磁力を球送り体６７を指向する磁着部７０ａに集中的に作用し得るよう構成される。これに対して規制部材６８は、金属製レバー状のものが例とされ、フレーム枠６９における上水平部６９ｂの開放端部近傍に傾動可能に支持されて磁着部７０ａの対向位置に規制部６８ａを垂下しており、電源投入時の作動状態(電磁ソレノイド２８の消磁状態)において、常には付勢手段としての引張バネ７１により球送り体６７の区画爪部６７ａを係止する方向へ付勢保持されて、該球送り体６７の回転停止を図るようになっている(図１４(ａ))。一方、前記電磁ソレノイド２８の通電による励磁作動に伴い磁力発生部７０に磁力が発生したときには、その磁力により前記引張バネ７１の付勢力に抗して規制部材６８が区画爪部６７ａから離間して磁着部７０ａに吸着されて、球送り体６７の回転を許容するようになっている(図１４(ｂ))。
【００２４】
ここで、前記上下のセンサ５６,５７では、前記規制部材６８により球送り体６７が拘束され、前記球貯留排出経路部２２内に投入されて球通路４２に入っている賞球Ｔの最先行(最下端)を、球受部６７ｂに受入れた状態で停止されている状態において、図１４(ａ)に示す如く、前記上センサ５６がこの賞球Ｔを直接有検出するよう設定される。また、電磁ソレノイド２８の励磁により磁着部７０ａに吸着された規制部材６８が傾動変化して球送り体６７を解放すると、該球送り体６７が受けた１球の重みで回転して同球を放出することにおいて、前記下センサ５７が放出球を直接有検出し、電磁ソレノイド２８が消磁復帰されるようになっている。
【００２５】
前記ケース体２７のベース部材３０における後面壁３０ａの内面(ケース体２７の内面)には、図１および図４に示す如く、前記電磁ソレノイド２８のフレーム枠６９における上水平部６９ｂの一方(後側)の側端縁部が当接する上位置決め突部７２および下水平部６９ｄの一方(後側)の側端縁部が当接する下位置決め突部７３が、所定高さで突設されて左右方向に延在すると共に、フレーム枠６９の垂直部６９ａにおける一方(後側)の側端縁部が当接する垂直突部７４が、所定高さで突設されて上下方向に延在している。なお、上下の位置決め突部７２,７３および垂直突部７４は、何れもフレーム枠６９における折曲部から離間する側端縁部に当接するよう設定されている。すなわち、フレーム枠６９の対応する側端縁部を各突部７２,７３,７４に当接して位置決めした状態で、該枠６９の膨出部を生ずる折曲部が、前記後面壁３０ａの内面に当接しないよう設定され、電磁ソレノイド２８の組付け状態でのガタ付き発生を防止するよう構成される。
【００２６】
前記ベース部材３０の前記後面壁３０ａの内面(ケース体２７の内面)には、フレーム枠６９の上水平部６９ｂにおける開放端を保持して上下および左方(球通路側)への移動規制を行なうコ字状の上保持部７５と、フレーム枠６９の下水平部６９ｄにおける開放端を保持して下および左方への移動規制を行なうＬ字状の下保持部７６とが、所定高さで突設されている。更に上位置決め突部７２に近接して、フレーム枠６９の上水平部６９ｂに形成された切欠部６９ｃに係脱可能に係合する固定フック７７が後面壁３０ａに突設されており、フレーム枠６９が前記各突部７２,７３,７４および両保持部７５,７６で位置決め保持された状態で、固定フック７７により開口部側への抜け止めがなされるよう構成される。また、ベース部材３０に対して電磁ソレノイド２８を位置決め保持した状態で、前記フレーム枠６９における垂直部６９ａの平坦な外面(右面)が、その全体に亘って該ベース部材３０の右面壁３０ｅの内面に密着しており、作動時の振動発生を抑制し得るようになっている。
【００２７】
前記カバー部材３１における前面壁３１ａの内面(ケース体２７の内面)には、前記ベース部材３０に形成された上下の位置決め突部７２,７３および垂直突部７４と対向する位置に、上位置決め突部７８、下位置決め突部７９および垂直突部８０が所定高さで突設され、該カバー部材３１をベース部材３０に取付けた際に、各突部７８,７９,８０が、前記電磁ソレノイド２８のフレーム枠６９における他方(前側)の側端縁部に当接するよう構成される。すなわちフレーム枠６９は、ベース部材３０とカバー部材３１とにより前後から挟持された状態で位置決め固定されるようになっている。なお、カバー部材３１の各突部７８,７９,８０は、フレーム枠６９における膨出部を生ずる折曲部から離間する側端縁部に当接し、該折曲部が前面壁３１ａの内面に当接しないよう設定され、電磁ソレノイド２８の組付け状態でのガタ付き発生を防止するよう構成される。また実施例では、ベース部材３０およびカバー部材３１に形成された位置決め突部７２,７３,７８,７９、垂直突部７４,８０および保持部７５,７６が、位置決め手段として機能するようになっている。
【００２８】
前記ケース体２７のベース部材３０には、前記規制部材６８を球送り体６７の拘束状態から解放状態に強制的に切換える操作部材８１が、左右方向に水平移動可能に配設されている。すなわち、図５に示す如く、ベース部材３０における左面壁３０ｄに外側通孔８２が穿設されると共に、内部側壁４０の外側通孔８２と対応する位置に内側通孔４０ａが穿設されており、外側通孔８２は内側通孔４０ａより大径に設定されている。これに対して操作部材８１は、内側通孔４０ａに挿通可能な直径に設定された軸部８１ａと、該軸部８１ａの長手方向の一端(左端)に形成され、内側通孔４０ａよりは大径でかつ外側通孔８２には挿通可能な直径の頭部８１ｂとから構成される。そしてこの操作部材８１は、軸部８１ａが内側通孔４０ａに挿通されると共に、頭部８１ｂが左面壁３０ｄと内部側壁４０との間に臨む状態でケース体内に収容されている。また、内側通孔４０ａに挿通された操作部材８１の軸部８１ａは、前記樋部材４１における立上がり部５８に穿設された案内孔５８ｂに挿通されており、該操作部材８１は２個所(内側通孔４０ａと案内孔５８ｂ)で案内されて左右方向に水平移動可能になっている。
【００２９】
前記ケース体２７のカバー部材３１には、前記ベース部材３０における左面壁３０ｄと内部側壁４０との間に前側から差込まれて内外の通孔８２,４０ａの間に臨む抜止め片８３が設けられている。この抜止め片８３には、前記操作部材８１における頭部８１ｂの挿通を規制する溝部８３ａが、差込み端側(後端側)に開放するよう形成されており、該頭部８１ｂは、抜止め片８３により規制されて左面壁３０ｄから外方(ケース体２７の外方)に突出しないよう構成される。そして、この状態で軸部８１ａの頭部８１ｂが形成されていない他端(右端)は、前記規制部材６８における規制部６８ａの左側面(磁力発生部７０とは反対側)に略直角に当接して、常には前記引張バネ７１の弾力によって頭部８１ｂが抜止め片８３に当接するよう付勢されている。そして、前記外側通孔８２に外側から差込んだ棒状の作動部材(図示せず)を抜止め片８３の溝部８３ａを介して操作部材８１の頭部８１ｂに当接して右方(規制部６８ａを磁力発生部７０に近接する方向)に押すことで、前記規制部材６８を引張バネ７１の付勢力に抗して拘束状態から解放状態に傾動変化させることができるようになっている(図１５(ａ)参照)。なお、操作部材８１に対する押圧力を解除すれば、引張バネ７１の付勢力によって拘束状態に戻る規制部材６８によって操作部材８１も初期の待機位置に戻るよう構成される(図１５(ｂ)参照)。
【００３０】
【実施例の作用】
次に、前述のように構成された本実施例に係る賞球払出装置の作用につき説明する。
【００３１】
(賞球払出装置の組立て)
前記ベース部材３０に対し、支軸６６を介して球送り体６７を回動可能に配設したもとで、前記電磁ソレノイド２８を、そのフレーム枠６９の開放側を内部側壁４０に指向した姿勢で、該ベース部材３０に前側から収容する。このとき、フレーム枠６９における後側の各側端縁部が、ベース部材３０における後面壁３０ａに突設されている上位置決め突部７２、下位置決め突部７３および垂直突部７４に当接して、後面側の位置決めがなされる。またフレーム枠６９における上下の水平部６９ｂ,６９ｃの開放端が、対応する保持部７５,７６に係合すると共に、フレーム枠６９における垂直部６９ａの外面全体がベース部材３０の右面壁３０ｅの内面に密着することで、該電磁ソレノイド２８の上下および左右方向の位置決めがなされる。更に、ベース部材３０の固定フック７７が、フレーム枠６９の前記切欠部６９ｃに係脱可能に係合することで、当該電磁ソレノイド２８はベース部材３０に対して位置決め固定される。
【００３２】
次に、前記ベース部材３０に樋部材４１を収容設置するのに先立ち、該樋部材４１に賞球制御基板２９および賞球センサ基板５４を取付ける。すなわち、樋部材４１の前壁４１ａに形成された前記当接部４８,４８,４９および位置決め片４５に、賞球制御基板２９の後面を当接すると共に、前記各前位置決めピン５０,５０およびボス部４５ｂを、該賞球制御基板２９の対応する前位置決め孔２９ａに夫々嵌挿する。このとき、前壁４１ａに突設された上下一対の前フック５１,５１が、賞球制御基板２９の上下端縁部に係脱可能に係合することで、樋部材４１に対して賞球制御基板２９は位置決め固定される。また、樋部材４１の後壁４１ｂに形成された後当接部５２,５２に、賞球センサ基板５４の前面を当接すると共に、前記後位置決めピン５３を、該賞球センサ基板５４の後位置決め孔５４ａに嵌挿する。このとき、後壁４１ｂに突設された上下一対の後フック５５,５５が、賞球センサ基板５４の上下端縁部に係脱可能に係合することで、樋部材４１に対して賞球センサ基板５４は位置決め固定される。なお、賞球制御基板２９と賞球センサ基板５４とを接続するリード線５９は、前記立上がり部５８の収容部５８ａに収容して樋部材４１の後面から突出しないように配線する。
【００３３】
そして、このように構成されてユニット化された樋部材４１を、その開口側を前記内部側壁４０に指向した姿勢で、前記上下の突部４４ａ,４４ｂを対応する切欠部４３ａ,４３ｂに嵌合するようベース部材３０に前側から収容する。この樋部材４１の前記立上がり部５８の後端がベース部材３０の後面壁３０ａに当接した位置において、樋部材４１の前記位置決め片４５の通孔４５ａに前記固定用支柱３７のボス３８が嵌挿されると共に、係合部４７に前記樋用フック４６が係脱可能に係合することで、樋部材４１はベース部材３０に対して位置決め固定される。この状態で、前記内部側壁４０との間で上下に縦通する球通路４２が画成されると共に、前記球送り体６７の球受部６７ｂが前記通口６４を介して球通路４２内に臨むようになる(図３参照)。
【００３４】
前述したように、樋部材４１に配設された賞球センサ基板５４は、ベース部材３０の後面壁３０ａに当接する立上がり部５８から後方に突出していないから、樋部材４１の取付けに際して賞球センサ基板５４が破損するおそれはない。また賞球センサ基板５４から導出する前記リード線５９も収容部５８ａに収容されて後方に突出しないから(図１１参照)、該リード線５９が破断する等の事態も防止し得る。
【００３５】
次に、前記ベース部材３０の左面壁３０ｄの外側通孔８２を介して、前記操作部材８１を、その軸部８１ａ側から挿入すると共に、該軸部８１ａを内部側壁４０の内側通孔４０ａおよび樋部材４１の案内孔５８ｂに夫々挿通して、前記頭部８１ｂを左面壁３０ｄと内部側壁４０との間に臨ませた状態に、当該操作部材８１をベース部材３０に配設する(図１３参照)。なお、この状態で操作部材８１における軸部８１ａの他端は、前記規制部材６８における規制部６８ａの左側面に当接する。
【００３６】
前述したようにベース部材３０に球送り体６７、電磁ソレノイド２８、樋部材４１および操作部材８１を配設したもとで、該ベース部材３０の嵌合凸部３３に前記嵌合凹部３４が嵌合するようにしてカバー部材３１をベース部材３０に取付ける。このとき、カバー部材３１に形成した上下の位置決め突部７８,７９および垂直突部８０が、前記電磁ソレノイド２８におけるフレーム枠６９の前側の各側端縁部に当接すると共に、前記抜止め片８３が操作部材８１における頭部８１ｂと左面壁３０ｄとの間に差込まれる。この状態で、カバー部材３１の前記通孔３９に挿通したビス３２をベース部材３０のビス孔３８ａに螺挿することで、図２に示す矩形箱体状のケース体２７が構成され、賞球払出装置Ｌはケース体２７単位のユニット体として取扱うことができるようになる。
【００３７】
前述したように、ベース部材３０に対して電磁ソレノイド２８および樋部材４１は、ビス等の固定手段を用いることなく位置決め固定されるから、賞球払出装置Ｌの組立てに際しては、ベース部材３０とカバー部材３１とを固定する１本のビス３２のみで足り、部品点数を低減し得ると共に組立て時の作業性に優れ、生産性を向上することができる。また、電磁ソレノイド２８のフレーム枠６９については、その折曲部の両側端縁部がベース部材３０またはカバー部材３１の内面に当接しないよう構成してあるから、該電磁ソレノイド２８の組付け状態でのガタ付き発生を防止することができる。更には、フレーム枠６９における垂直部６９ａの全面がベース部材３０の右面壁３０ｅに密着するよう配設されるから、電磁ソレノイド２８の作動時における振動発生を抑制し得る。
【００３８】
また前記樋部材４１は、賞球制御基板２９および賞球センサ基板５４のホルダを兼用するものであって、部品点数を低減し得ると共に、樋部材４１に対する各基板２９,５４の取付けにビス等の固定手段を用いないから、これによっても部品点数の低減および作業性の向上を図ることができる。更に、前記球通路４２を通過する賞球Ｔを検出する上下のセンサ５６,５７を備える基板２９,５４が配設された樋部材４１が１つの部品として取扱い得るから、両センサ５６,５７の検査等を単独で行なうことが可能となる。なお、樋部材４１自体は、一側面が開口する形状に形成されているから成形性は良好であるが、その開口部分(球通路４２を画成する部位)が強度不足となるおそれがある。しかるに、実施例では球通路４２を画成する内部右壁面を多角形状としてあるので、強度不足となるのを防止することができ、樋部材４１の強度を向上し得るものである。
【００３９】
(賞球の払出し)
前述のようにケース体２７単位で取扱われる賞球払出装置Ｌは、図１６に示す如く、前記球貯留排出経路部２２を予め組付けた前記機構セット盤Ｇに対して、前記球通路４２が球送出路部２５に整合連通する状態でセットされる。
【００４０】
前記パチンコ機Ｐでパチンコゲームが展開されている途中で入賞球が発生した場合には、前記払出制御装置２６から発信される賞球払出し信号に基づいて、前記賞球払出装置Ｌが作動制御されることにより、球送出路部２５内の所定数の貯留球が賞球Ｔとして前記上球皿側へ給出される。
【００４１】
すなわち、前記払出制御装置２６からの賞球払出し信号の発生前では、前記電磁ソレノイド２８に対して通電されず、前記規制部材６８は、図１４(ａ)に示す如く、前記引張バネ７１の付勢力により拘束状態に保持される。このため前記球送り体６７は回転停止状態とされ、これにより球送り体６７が球受部６７ｂに賞球Ｔを受けたまま回転不能に停止保持される。このもとで前記上センサ５６が球有検出条件(ＯＮ)にあることを前提として、払出制御装置２６から賞球払出し信号が発信されると、前記電磁ソレノイド２８に対して通電され、前記磁力発生部７０に磁力が発生し、図１４(ｂ)に示すように、前記磁着部７０ａに規制部材６８が吸着されることで、球送り体６７は回転停止が解放される。この結果、球送り体６７は、前記球通路４２内の賞球Ｔを球受部６７ｂに受入れながら回転されて、該賞球Ｔを排出する(図１４(ｃ)参照)。そして、前記下センサ５７が賞球Ｔを直接有検出する条件で、前記電磁ソレノイド２８が消磁復帰され、前記規制部材６８が引張バネ７１の付勢力によって球送り体６７の回転停止を図る。そして、前述した動作が繰返され、所定個数分の賞球Ｔがカウント検出されると、前記電磁ソレノイド２８が消磁復帰された状態に保持され、１回分の賞球払出し作動が終了する。
【００４２】
前述した賞球払出し作動中において、前記球通路４２を通過する賞球Ｔは、前記樋部材４１の通口６４が形成される部位において、図１２に示す如く、前記上下のセンサ５６,５７から離間する外側(右方)に沈み込むのが、所定角度で傾斜する前記複数の案内面６３ａ,６３ｂ,６３ｂにより防止される。従って、上下のセンサ５６,５７により賞球Ｔを１球づつ確実に検出することができ、誤作動の発生を防ぐことができる。
【００４３】
(貯留球の球抜き)
次に、前記球貯留排出経路部２２に貯留されている全ての貯留球を機外に排出する場合は、前記賞球払出装置Ｌの下方に形成された球排出経路に設けた賞球経路と球抜き路とを切換える切換え弁８５(図１６参照)を切換えたもとで、前記ケース体２７の外側通孔８２から作動部材を差込んで前記操作部材８１を作動させる。すなわち、図１５(ａ)に示す如く、作動部材で操作部材８１を右方に押すことで、その軸部８１ａにより前記規制部材６８は引張バネ７１の付勢力に抗して拘束状態から解放状態に傾動変化される。これにより、前記球送り体６７は回転停止が解放され、球貯留排出経路部２２に貯留されている全ての貯留球は機外に排出される。
【００４４】
前記球抜き終了後は、前記作動部材を外側通孔８２から引抜けば、前記引張バネ７１の付勢力によって拘束状態に戻る規制部材６８によって操作部材８１も初期の待機位置に戻る(図１５(ｂ)参照)。
【００４５】
このように、実施例の球抜き作業は、前記球送り体６７を回転停止している規制部材６８を、操作部材８１を用いて物理的に作動させるものであるから、前記パチンコ機Ｐが通電状態でなくても球抜きを行なうことができる。また操作部材８１の配設構造等は簡単であり、設計・製造が容易で、コストも低廉に抑えることができる。更に、操作部材８１を待機位置に戻す手段として、規制部材６８を拘束位置に保持するための引張バネ７１を兼用しているから、部品点数および製造コストを低廉に抑えることができると共に、球抜き作業後の戻し忘れも防止し得る。なお、操作部材８１の操作は作動部材で押すだけであるので、球抜き作業は極めて簡単である。
【００４６】
また、実施例の操作部材８１はケース体２７から外方に突出しないので、賞球払出装置Ｌの機構セット盤Ｇに対するセット時に邪魔となることはなく、またセル等を用いた不正行為による球抜きを防止し得る利点も有する。
【００４７】
【変更例】
図１７は、前記操作部材の変更例を示すものであって、前記頭部８１ｂの開放端に、前記外側通孔８２から外方に所定長さで突出する操作部８１ｃが設けられている。すなわち変更例の場合は、操作部８１ｃを作業者の指先で操作することで、球抜き作業を行なうことができ、作動部材を用いる必要はなくなる。従って、例えば機構セット盤Ｇに配設された裏カバー部材２１と賞球払出装置Ｌとの隙間が狭く、作動部材を外側通孔８２から差込むのが困難な構造の場合であっても、変更例では容易な操作が可能である。なお、操作部８１ｃをケース体２７から外方に突出する構成では、図１８に示す保護部材８４をケース体２７に開閉可能に設け、常には該保護部材８４により操作部８１ｃを覆っておくことで、誤操作や不正行為を防止し得る。
【００４８】
なお、前述した実施例では、ベース部材とカバー部材とからケース体を構成した場合で説明したが、該ケース体をベース部材のみで構成してもよい。この場合においては、前記電磁ソレノイドはベース部材に対して複数の位置決め手段や固定フックで位置決め固定されるから、ビスを不用とし得る。また位置決め手段の配設位置や配設数等は、フレーム枠の折曲部から離間する側端縁部に当接するものであれば、実施例に限定されるものではない。更に、フレーム枠はコ字状でなく、磁力発生部の取着部である垂直部の上下何れかの端部に水平部が折曲形成されるＬ字状であってもよい。
【００４９】
前記球通路における通口が形成される一側は、パチンコ球が該通口から外側に沈み込むことがない形状であれば、実施例の形状に限定されるものでなく、所定角度で傾斜する２面あるいは４面以上の複数の面からなる多角形状であればよい。また実施例では、一側面が開口する樋部材とケース体の内部側壁とにより球通路を画成するよう構成したが、筒状の通路画成部材により球通路を単独で画成するようにしてもよい。
【００５０】
【発明の効果】
以上説明した如く、本発明に係る球払出装置によれば、球送り体の球受部を球通路に臨ませる通口が形成される球通路の幅方向一方の壁の内壁面を所定角度で交差する複数の面から形成し、該幅方向一方の壁に沿って球通路を通過するパチンコ球が通口から外側に沈み込むのを防止するようにした。従って、上下の検出手段による検出位置からパチンコ球が偏位するのは防止され、確実な球検出を行なって、誤作動の発生を防ぐことができる。
また、電磁ソレノイドのフレーム枠については、その折曲部の両側端縁部がケース体の内面に当接しないよう構成してあるから、該電磁ソレノイドの組付け状態でのガタ付き発生を防止することができる。
【図面の簡単な説明】
【図１】本発明の実施例に係る賞球払出装置のベース部材から電磁ソレノイドを取外した状態で示す概略斜視図である。
【図２】実施例に係る賞球払出装置を示す外観斜視図である。
【図３】実施例に係る賞球払出装置の内部構造を一部破断して示す分解斜視図である。
【図４】実施例に係るケース体のベース部材を示す正面図である。
【図５】実施例に係るベース部材を示す断面図である。
【図６】実施例に係るケース体のカバー部材を示す背面図である。
【図７】実施例に係る樋部材から各基板を取外した状態を示す概略斜視図である。
【図８】実施例に係る樋部材の正面図である。
【図９】実施例に係る樋部材の背面図である。
【図１０】実施例に係る樋部材の左側面図である。
【図１１】実施例に係る樋部材の右側面図である。
【図１２】実施例に係る賞球払出装置における球通路と賞球との関係を示す要部断面図である。
【図１３】実施例に係る賞球払出装置の内部構造を示す断面図である。
【図１４】実施例に係る賞球払出装置による賞球の払出し工程を示す説明図である。
【図１５】実施例に係る操作部材による貯留球の球抜き工程を示す説明図である。
【図１６】実施例に係る賞球払出装置を備えたパチンコ機の背面図である。
【図１７】変更例に係る操作部材を配設した賞球払出装置の内部構造を示す断面図である。
【図１８】変更例に係る操作部材を配設した賞球払出装置の外観斜視図である。
【符号の説明】
２５  球送出路部
２７  ケース体
２８  電磁ソレノイド
４２  球通路
５６  上センサ(上検出手段)
５６ａ  発光ダイオード
５６ｂ  受光ダイオード
５７  下センサ(下検出手段)
５７ａ  発光ダイオード
５７ｂ  受光ダイオード
６３ａ  第１案内面(面)
６３ｂ  第２案内面(面)
６４  通口
６７  球送り体
６７ｂ  球受部
６８  規制部材
６９  フレーム枠
７０  磁力発生部
７２  上位置決め突部(位置決め手段)
７３  下位置決め突部(位置決め手段)
７４  垂直突部(位置決め手段)
７５  上保持部(位置決め手段)
７６  下保持部(位置決め手段)
７８  上位置決め突部(位置決め手段)
７９  下位置決め突部(位置決め手段)
８０  垂直突部(位置決め手段)
Ｇ  機構セット盤
Ｔ  賞球(パチンコ球)
【図１】
0004415203.tif 000002
【図２】
0004415203.tif 000003
【図３】
0004415203.tif 000004
【図４】
0004415203.tif 000005
【図５】
0004415203.tif 000006
【図６】
0004415203.tif 000007
【図７】
0004415203.tif 000008
【図８】
0004415203.tif 000009
【図９】
0004415203.tif 000010
【図１０】
0004415203.tif 000011
【図１１】
0004415203.tif 000012
【図１２】
0004415203.tif 000013
【図１３】
0004415203.tif 000014
【図１４】
0004415203.tif 000015
【図１５】
0004415203.tif 000016
【図１６】
0004415203.tif 000017
【図１７】
0004415203.tif 000018
【図１８】
0004415203.tif 000019